(57)【要約】【課題】モジュールに飛び火した場合でも、建屋の屋根部材まで延焼に至ることのない防火機能を有し、かつ構造が簡単な太陽電池モジュールを提供する。【解決手段】表面及び裏面保護部材との間に太陽電池を樹脂封止し、電力リードを裏面保護部材を貫通させて端子台５２内に導入し、端子台内のケーブルに電気的に接続したモジュールにおいて、モジュールの少なくとも一部から端子台側に突出させた部材により、端子台を機械的に太陽電池モジュールに保持する機械的保持手段（例えば、接合板５６）を備え、裏面保護部材は、少なくとも、電力リード部材を貫通させる貫通孔を備えた難燃性材料もしくは金属材料からなる裏面補強板５８を備え、さらに、端子台は、裏面補強板に接着剤６１により固着し、かつ、機械的保持手段は、接着剤の固着力が消失した場合においても、端子台が太陽電池モジュールから脱落しないような脱落防止機能を備える構成とする。【選択図】        図５
2004247591.tif 000002
【特許請求の範囲】
【請求項１】
表面保護部材と裏面保護部材との間に、複数個の太陽電池素子を直列または並列接続した太陽電池を接着性樹脂により封止してなり、前記太陽電池の正極および負極の電力リード部材を、前記裏面保護部材を貫通させて、電気絶縁性材料製の中空構造体からなる端子台内に導入し、前記端子台内に別途導入した外部の接続ケーブルの端子に電気的に接続してなる太陽電池モジュールにおいて、
太陽電池モジュールの少なくとも一部から端子台側に突出させた部材により、前記端子台を機械的に太陽電池モジュールに保持する機械的保持手段を備え、前記裏面保護部材は、少なくとも、前記電力リード部材を貫通させる貫通孔を備えた難燃性材料もしくは金属材料からなる裏面補強板を備え、
さらに、前記端子台は、前記裏面補強板に接着剤により固着し、かつ、前記機械的保持手段は、前記接着剤の固着力が消失した場合においても、前記端子台が太陽電池モジュールから脱落しないような脱落防止機能を備える構成としたことを特徴とする太陽電池モジュール。
【請求項２】
請求項１に記載の太陽電池モジュールにおいて、前記裏面補強板は鋼板やステンレス鋼板等の金属板とし、前記機械的保持手段は、前記裏面補強板の非受光面側に溶接した帯板状の金属材料からなる接合板と、この接合板を端子台にフック可能に前記端子台に設けた前記接合板の機械的係合手段とからなるものとしたことを特徴とする太陽電池モジュール。
【請求項３】
請求項２に記載の太陽電池モジュールにおいて、前記端子台の電力リード部材を導入する中空構造体の底部は、その底部裏面が前記裏面補強板との接着面を構成する接着板としてなり、かつこの接着板は、前記底部外周部に張り出した鍔状のフランジを有するものとし、さらに、前記鍔状のフランジの外周部の一部を前記機械的係合手段として、前記金属材料からなる接合板を折り曲げて前記鍔状のフランジ外周部にフックさせることにより、前記機械的保持手段を構成したことを特徴とする太陽電池モジュール。
【請求項４】
請求項３に記載の太陽電池モジュールにおいて、前記機械的係合手段は、前記鍔状のフランジの外周部の一部に代えて、鍔状のフランジの少なくとも一部に設けた接合用穴とし、前記金属材料からなる接合板を折り曲げて前記接合用穴にフックさせることにより、前記機械的保持手段を構成したことを特徴とする太陽電池モジュール。
【請求項５】
請求項３または４に記載の太陽電池モジュールにおいて、前記端子台の接着板は、前記裏面補強板の非受光面側に溶接した接合板の占有空間を端子台側に設けるための接合板逃げ溝を備えたことを特徴とする太陽電池モジュール。
【請求項６】
請求項１に記載の太陽電池モジュールにおいて、前記機械的保持手段は、前記裏面補強板の受光面側に溶接もしくは接着し、かつ裏面補強板に設けた穴から非受光面側に突出させた帯板状の金属材料からなる接合板と、この接合板を端子台にフック可能に前記端子台に設けた前記接合板の機械的係合手段とからなるものとし、前記端子台の電力リード部材を導入する中空構造体の底部は、その底部裏面が前記裏面補強板との接着面を構成する接着板としてなり、かつこの接着板は、前記底部外周部に張り出した鍔状のフランジを有するものとし、さらに、前記鍔状のフランジの少なくとも一部に設けた接合用穴を前記機械的係合手段として、前記金属材料からなる接合板を折り曲げて前記接合用穴にフックさせる構成としたことを特徴とする太陽電池モジュール。
【請求項７】
請求項６に記載の太陽電池モジュールにおいて、前記裏面補強板の受光面側に溶接もしくは接着し、かつ裏面補強板に設けた穴から非受光面側に突出させた接合板に代えて、太陽電池モジュールの表面保護部材の受光面側に接着し、かつ表面保護部材，裏面保護部材および裏面補強板に設けた穴から非受光面側に突出させた接合板としたことを特徴とする太陽電池モジュール。
【請求項８】
請求項１に記載の太陽電池モジュールにおいて、前記裏面補強板は鋼板やステンレス鋼板等の金属板とし、前記機械的保持手段は、前記裏面補強板の一部に切り込みを設け、この切り込み部を端子台側に起立させて折り曲げてなる接合板と、この接合板を端子台にフック可能に前記端子台に設けた前記接合板の機械的係合手段とからなるものとし、前記端子台の電力リード部材を導入する中空構造体の底部は、その底部裏面が前記裏面補強板との接着面を構成する接着板としてなり、かつこの接着板は、前記底部外周部に張り出した鍔状のフランジを有するものとし、前記鍔状のフランジの少なくとも一部に設けた接合用穴を前記機械的係合手段として、前記裏面補強板の切り込み部からなる接合板を折り曲げて前記接合用穴にフックさせる構成としたことを特徴とする太陽電池モジュール。
【請求項９】
請求項６ないし８のいずれか１項に記載の太陽電池モジュールにおいて、前記前記裏面補強板の受光面側に溶接もしくは接着した接合板または前記表面保護部材の受光面側に接着した接合板もしくは前記裏面補強板の切り込み部からなる接合板ならびに前記機械的係合手段としての端子台の少なくともフック部は、太陽電池モジュールにおける非発電領域に配設したことを特徴とする太陽電池モジュール。
【請求項１０】
請求項１ないし９のいずれか１項に記載の太陽電池モジュールにおいて、前記中空構造体の内部および接続線の貫通する穴内に、耐熱性樹脂を充填してなることを特徴とする太陽電池モジュール。
【発明の詳細な説明】
【０００１】
【発明の属する技術分野】
この発明は、太陽電池モジュール、特に、太陽電池で発生した電力を外部に取り出す電力リード引き出し装置の構造に関する。
【０００２】
【従来の技術】
太陽電池としては、結晶系，非結晶系の双方が使用されるが、非晶質太陽電池を用いた薄膜太陽電池は、薄型で軽量、製造コストの安さ、大面積化が容易であることなどから、今後の太陽電池の主流となると考えられ、電力供給用以外に、建物の屋根や窓などにとりつけて利用される業務用，一般住宅用にも需要が広がってきている。
【０００３】
近年では、プラスチックフィルムを用いたフレキシブルタイプの太陽電池の研究開発がすすめられており、このフレキシブル性を生かし、ロールツーロール方式やステップロール方式等の製造方法により大量生産が可能となっている。
【０００４】
上記薄膜太陽電池モジュールとして、電気絶縁性を有するフィルム基板上に形成された太陽電池を、電気絶縁性の保護材により封止するために、太陽電池の受光面側および非受光面側の双方に保護層を設けたものが知られている。上記のような太陽電池モジュールおよびその電力リード引き出し装置の構造については、種々の構成が提案されている（例えば、特許文献１参照）。
【０００５】
ところで、太陽電池モジュールを住宅の屋根に搭載する場合、防火に対する法規制に合致することが建築物として認可される上で必要な要件の１つである。例えば、木造建築物の場合、飛び火による延焼を防ぐため、屋根は不燃材で葺くこととされている。このため、従来構造の太陽電池を搭載するとき、屋根材としての太陽電池の耐火性を高めるために裏面保護部材に金属板、例えば鋼板を用いたものが用いられ、表面保護部材としては、ガラス板を用いたものが用いられている。
【０００６】
太陽電池モジュールに可とう性をもたせるためには、ガラス板を用いずに、難燃性のＥＴＦＥ（エチレン・テトラフルオロエチレン）を用いる場合もある。裏面保護部材としては、アルミニウム箔を耐候性フィルムでサンドイッチ構造とした耐候・耐湿フィルム、無塗装の亜鉛メッキ鋼板のような薄い鋼板、屈曲性や硬さなどの観点からポリエステル樹脂やアクリル樹脂がコーディングされた鋼板等が用いられる。上記のように、ニーズに応じて、種々の太陽電池モジュールのタイプがある。
【０００７】
図２２は、前記特許文献１に開示された太陽電池モジュールと実質的に同様な構成を備えた太陽電池モジュールの構成図で、特に、電力リード引き出し部に着目した装置の構造を示す。
【０００８】
図２２に示す太陽電池モジュールにおいては、太陽電池１の太陽光入射側である受光面側に、ＥＶＡ（エチレンビニルアセテート）などを使用した接着層２、並びにＥＴＦＥなどを使用した防湿層３、ＥＶＡにガラス繊維を充填して機械的強度を高めた強化層４、その上にＥＴＦＥなどを使用した汚損物質付着防止の表面保護層５からなる耐候性保護層としての受光面側保護層６が積層され、太陽電池１を保護している。
【０００９】
また太陽光入射側と反対側である非受光面側には、接着層７、防水と電気絶縁を兼ねたＥＴＦＥやポリイミドを使用した絶縁層８、裏面補強板１１との接合の役目をなすＥＶＡなどを使用した接着層９が積層されて非受光面側保護層１０が形成され、その上に積層された金属製平板などを使用した裏面補強板１１が接着されており、上記各層は加圧熱融着ラミネートで一体化されている。なお、各層のラミネートは、一般に、表面保護層５から順に下方に向かって行われるが、太陽電池１と接着層２は、あらかじめ一体化されている。また、ニーズに応じて、一部の層を省略することがある。
【００１０】
さらに、受光面側保護層６、非受光面側保護層１０、裏面補強板１１は太陽電池１の側方の非発電領域まで延長され、非発電領域には略四角形状の太陽電池１の両側辺に沿って平行的に平箔銅線のリード線１２が配置され、太陽電池１の図示しないプラス極、またはマイナス極にそれぞれ接続されている。
【００１１】
また、リード線１２の端部近傍には、発電した電力を外部に引出す中継をなす端子台１４が裏面補強板１１に接着剤２０で固定されており、リード線１２とケーブル１５が接続線１６で電気的に接続されて全体として四角形で平板状の太陽電池モジュール１３を形成している。
【００１２】
さらに、リード線１２のほぼ直上から裏面補強板１１、接着層９、絶縁層８、接着層７を貫通して穴２１が開けられ、リード線１２の表面が露出し、また穴２１の上に端子台１４の穴２２がほぼ同軸上に並ぶように、裏面補強板１１に当接して端子台１４が配置され、裏面補強板１１に接着固定されている。
【００１３】
上記穴２２には、例えば銅線を使用した接続線１６が挿入され、端部がリード線１２とハンダ接合されている。接続線１６は端子台１４の穴２２を通って圧着端子１７にハンダ接合されている。圧着端子１７は、圧着端子１７のカシメ部２５に、端子台１４外部より挿入されたケーブル１５の銅線部２６を挿入しカシメて接合され、また、圧着端子１７に設けた穴２７を用いて、ネジ込みや熱溶着などの固定部材１９により端子台１４内部に固定される。
【００１４】
なお、図示しない逆流防止ダイオードをプラス極側、若しくはマイナス極側のいずれか一方に挿入する必要がある場合には、接続線１６と圧着端子１７間に挿入し接続固定する。また、穴２１，穴２２，端子台１４内部には水分侵入による絶縁不良を無くすため、防水・絶縁性の樹脂が充填されており、端子台蓋１８が端子台１４に被せられ、接着やはめ込みもしくは図示しないネジで締結固定され端子台１４を形成している。
【００１５】
図２３は、上記のような従来の太陽電池モジュールを屋根などへ設置する方法の一例を示した図である。太陽電池モジュール１３は、端子台１４を取付けた後、ロール成形機などにより、幅方向両端を成型加工される。この成型加工された太陽電池モジュール１３は、屋根材の基礎である野地板２４を、背面に侵入した雨水から保護するために設けられた防水シート２３を全面に敷いた上に、ボルト，ネジ，はめ込みなどで直に又は図示しない設置部材を用いて固定される。また、成型加工された太陽電池モジュール１３は、各々に成型加工された部位同士を図示のように係合させて連続的に配置される。端子台１４に接続されたケーブル１５は、隣接する他の太陽電池モジュール１３と電気的に直並列的に接続され、図示しないインバータに接続される。
【００１６】
【特許文献１】
特開２００２−１１１０３２号公報（第２−３頁、図２−８）
【００１７】
【発明が解決しようとする課題】
ところで、前記図２２に示すような電力リード引き出し構造を備えた従来の太陽電池モジュールにおいては、防火対策に関わり、以下のような問題がある。
【００１８】
太陽電池モジュールを設置した住宅の近隣で火災が発生し、飛び火が太陽電池モジュール表面に落下し着火する可能性がある。この時、太陽電池モジュールの受光面側保護層６や非受光面側保護層１０は樹脂材で構成されているため、着火後に延焼する可能性が高い。非受光面側保護層１０の下に位置する裏面補強板１１は金属製もしくは難燃性材料のため、太陽電池モジュールを設置している野地板や防水シートなどに延焼する可能性は低い。
【００１９】
しかしながら、前記図２２に示すような太陽電池モジュールにおいては、裏面補強板１１の受光面側に位置する太陽電池からの発電電力を、リード線１２および接続線１６を介して、裏面補強板１１の非受光面側に引き出すために、非受光面側保護層１０，金属製もしくは難燃性材料からなる裏面補強板１１，端子台１４の接着面部に穴を空けていること、さらに端子台１４と裏面補強板１１との接続を接着剤２０のみで固定していること等により、下記のような推移により、裏面補強板１１の下に位置し建屋の屋根部材としての野地板２４や防水シート２３などに、延焼する可能性があることが、太陽電池モジュールの飛び火試験の結果分かった。
【００２０】
即ち、▲１▼太陽電池モジュール受光面側の表面に、飛び火が落下し受光面に燃え広がり、リード線と接続線を結合しているハンダ部が高温により溶け接続が解除される。▲２▼さらに裏面補強板も熱せられ高温になり、裏面補強板の野地板側に取り付けられた端子台の接着剤が溶け、裏面補強板より端子台が外れ、防水シート上にケーブルが端子台に接続された状態で脱落する。▲３▼端子台の脱落により、裏面補強板に空いた接続線を形成するための穴が野地板側から見える状態になる。▲４▼さらに裏面補強板に空いた接続線を形成するための穴に、水分侵入による絶縁不良の防止目的で充填された防水・絶縁性の樹脂が、高温により溶け出し穴が空いた状態になる。▲５▼受光面側保護層又は非受光面側保護層の構成材料であるＥＶＡなどの接着層が高温となり、この穴から液化又はガス化して火を伴いながら、裏面補強板の穴を通過し防水シート上に火を至らしめる。
【００２１】
上記のような推移により、太陽電池モジュール受光面側の火種が裏面補強板の穴におよび、これにより裏面補強板の裏側の防水シートや野地板等の建屋の屋根部材まで延焼に至ることがある。
【００２２】
この発明は、上記のような問題点を解消するためになされたもので、本発明の課題は、太陽電池モジュールに飛び火した場合でも、建屋の屋根部材まで延焼に至ることのない防火機能を有し、かつ構造が簡単な太陽電池モジュールを提供することにある。
【００２３】
【課題を解決するための手段】
前述の課題を解決するためには、裏面補強板に接合された端子台が、火災時においても、接合された裏面補強板から脱落せずに結合状態を維持し、裏面補強板に開けられた電力リード取り出し用の穴から、火種となる火を伴った液化又はガス化した受光面側保護層又は非受光面側保護層の構成材料の溶け出しや吹き出しを、建屋の屋根部材としての防水シートや野地板まで届かないように端子台で通路を絶つ手段が必要である。
【００２４】
上記観点から、この発明においては、表面保護部材と裏面保護部材との間に、複数個の太陽電池素子を直列または並列接続した太陽電池を接着性樹脂により封止してなり、前記太陽電池の正極および負極の電力リード部材を、前記裏面保護部材を貫通させて、電気絶縁性材料製の中空構造体からなる端子台内に導入し、前記端子台内に別途導入した外部の接続ケーブルの端子に電気的に接続してなる太陽電池モジュールにおいて、太陽電池モジュールの少なくとも一部から端子台側に突出させた部材により、前記端子台を機械的に太陽電池モジュールに保持する機械的保持手段を備え、前記裏面保護部材は、少なくとも、前記電力リード部材を貫通させる貫通孔を備えた難燃性材料もしくは金属材料からなる裏面補強板を備え、さらに、前記端子台は、前記裏面補強板に接着剤により固着し、かつ、前記機械的保持手段は、前記接着剤の固着力が消失した場合においても、前記端子台が太陽電池モジュールから脱落しないような脱落防止機能を備える構成とする（請求項１の発明）。
【００２５】
上記構成により、裏面補強板に接着された端子台が、火災時においても、裏面補強板から脱落せずに結合状態を維持し、屋根部材への延焼を防止できる。なお、前記端子台は、前記太陽電池の正極および負極の各々に対応して個別に設けることができる。
【００２６】
また、前記発明の実施態様としては、下記請求項２ないし１０の発明が好ましい。即ち、請求項１に記載の太陽電池モジュールにおいて、前記裏面補強板は鋼板やステンレス鋼板等の金属板とし、前記機械的保持手段は、前記裏面補強板の非受光面側に溶接した帯板状の金属材料からなる接合板と、この接合板を端子台にフック可能に前記端子台に設けた前記接合板の機械的係合手段とからなるものとする（請求項２の発明）。この構成によれば、構造がシンプルで、機械的保持の作業性も向上する。
【００２７】
さらに、前記機械的係合手段の実施態様に関わり、請求項２に記載の太陽電池モジュールにおいて、前記端子台の電力リード部材を導入する中空構造体の底部は、その底部裏面が前記裏面補強板との接着面を構成する接着板としてなり、かつこの接着板は、前記底部外周部に張り出した鍔状のフランジを有するものとし、さらに、前記鍔状のフランジの外周部の一部を前記機械的係合手段として、前記金属材料からなる接合板を折り曲げて前記鍔状のフランジ外周部にフックさせることにより、前記機械的保持手段を構成する（請求項３の発明）。
【００２８】
もしくは、請求項３に記載の太陽電池モジュールにおいて、前記機械的係合手段は、前記鍔状のフランジの外周部の一部に代えて、鍔状のフランジの少なくとも一部に設けた接合用穴とし、前記金属材料からなる接合板を折り曲げて前記接合用穴にフックさせることにより、前記機械的保持手段を構成する（請求項４の発明）。端子台の構成をシンプルにする観点からは、接合用穴のない請求項３の発明の方が好ましい。
【００２９】
さらにまた、前記請求項３または４に記載の太陽電池モジュールにおいて、前記端子台の接着板は、前記裏面補強板の非受光面側に溶接した接合板の占有空間を端子台側に設けるための接合板逃げ溝を備えたものとする（請求項５の発明）。この構成によれば、接合板が端子台の接着板内に収まって、機械的干渉を防ぐことができる。
【００３０】
また、前記機械的保持手段の異なる実施態様として、下記請求項６ないし８の発明のようにすることもできる。即ち、請求項１に記載の太陽電池モジュールにおいて、前記機械的保持手段は、前記裏面補強板の受光面側に溶接もしくは接着し、かつ裏面補強板に設けた穴から非受光面側に突出させた帯板状の金属材料からなる接合板と、この接合板を端子台にフック可能に前記端子台に設けた前記接合板の機械的係合手段とからなるものとし、前記端子台の電力リード部材を導入する中空構造体の底部は、その底部裏面が前記裏面補強板との接着面を構成する接着板としてなり、かつこの接着板は、前記底部外周部に張り出した鍔状のフランジを有するものとし、さらに、前記鍔状のフランジの少なくとも一部に設けた接合用穴を前記機械的係合手段として、前記金属材料からなる接合板を折り曲げて前記接合用穴にフックさせる構成とする（請求項６の発明）。この構成によれば、請求項３または４の発明に比較して、接合板が裏面補強板から脱落する危険性が少ないので、この観点からはより安全性が高いが、裏面補強板に穴を設ける必要がある。なお、前記裏面補強板に設ける穴と接合板との隙間はできるだけ小とすることが望ましい。
【００３１】
さらに、請求項６に記載の太陽電池モジュールにおいて、前記裏面補強板の受光面側に溶接もしくは接着し、かつ裏面補強板に設けた穴から非受光面側に突出させた接合板に代えて、太陽電池モジュールの表面保護部材の受光面側に接着し、かつ表面保護部材，裏面保護部材および裏面補強板に設けた穴から非受光面側に突出させた接合板とする（請求項７の発明）こともできる。
【００３２】
さらにまた、請求項１に記載の太陽電池モジュールにおいて、前記裏面補強板は鋼板やステンレス鋼板等の金属板とし、前記機械的保持手段は、前記裏面補強板の一部に切り込みを設け、この切り込み部を端子台側に起立させて折り曲げてなる接合板と、この接合板を端子台にフック可能に前記端子台に設けた前記接合板の機械的係合手段とからなるものとし、前記端子台の電力リード部材を導入する中空構造体の底部は、その底部裏面が前記裏面補強板との接着面を構成する接着板としてなり、かつこの接着板は、前記底部外周部に張り出した鍔状のフランジを有するものとし、前記鍔状のフランジの少なくとも一部に設けた接合用穴を前記機械的係合手段として、前記裏面補強板の切り込み部からなる接合板を折り曲げて前記接合用穴にフックさせる構成とする（請求項８の発明）こともできる。
【００３３】
また、前記請求項６ないし８のいずれか１項に記載の太陽電池モジュールにおいて、前記前記裏面補強板の受光面側に溶接もしくは接着した接合板または前記表面保護部材の受光面側に接着した接合板もしくは前記裏面補強板の切り込み部からなる接合板ならびに前記機械的係合手段としての端子台の少なくともフック部は、太陽電池モジュールにおける非発電領域に配設する（請求項９の発明）。裏面補強板等に接合板突出用の穴をあける場合には、非発電領域が望ましい。
【００３４】
さらに、電気絶縁性および耐火性向上の観点から、前記請求項１ないし９のいずれか１項に記載の太陽電池モジュールにおいて、前記中空構造体の内部および接続線の貫通する穴内に、耐熱性樹脂を充填してなるものとする（請求項１０の発明）。
【００３５】
【発明の実施の形態】
図面に基づき、本発明に係る五つの実施例について以下に述べる。
【００３６】
（実施例１）
この実施例は、請求項１，２および４の発明に関わる実施例であり、実施例１に関して図１〜５に基づいて説明する。図１はこの発明に関わる端子台５２を非接着面側から見た斜視図、図２は図１に示す端子台を接着面側より見た斜視図、図３は裏面補強板に溶接した接合板部の斜視図、図４は接合板を端子台にフック結合した状態を示す斜視図、図５は端子台を裏面補強板と接合した太陽電池モジュールを屋根に設置した状態を示す部分断面図である。なお、図５において、図２２に示した太陽電池モジュールの各構成層は、説明の便宜上、裏面補強板以外を省略して簡略化して示す。
【００３７】
図１及び図２において、端子台５２には、接続線４１が通せるように、図２２に示した裏面補強板１１（図３および図５では５８）などの穴２１とほぼ同形状でほぼ同軸上に、穴４０が設けられる。この穴４０を利用して接続線４１は、その一端部が、図２２に示したリード線１２の端部にハンダなどで接続される。さらに接続線４１の他端部は、圧着端子４２の端部とハンダなどで接続される。圧着端子４２は、圧着端子４２のカシメ部５３に、端子台５２の外部より挿入されたケーブル４４の銅線部５４を挿入しカシメで接合され、また、圧着端子４２は圧着端子４２に設けた穴５５などを用いて、ネジ込みや熱溶着などの固定部材４３により、端子台５２の端子台内部５１に固定される。
【００３８】
前記リード線，接続線４１，圧着端子４２，ケーブル４４を電気的に接続することで、裏面補強板５８の受光面側にある太陽電池で発電された電力を、反対面にあたる裏面補強板５８の非受光面側へ取り出している。尚、図示しない逆流防止ダイオードをプラス極側、若しくはマイナス極側のいずれか一方に挿入する必要がある場合は、接続線４１と圧着端子４２間に挿入し接続固定する。
【００３９】
端子台５２の構成部材である接着板４５は、その外形が、中空構造体としての端子接続箱部５０の外形より大きい鍔状のフランジを構成しており、さらに太陽電池モジュールの構成層である図５に示す裏面補強板５８と接着される面である接着板接着面４７と、その面の反対側に位置する接着板上面４６とからなる。さらに接着板４５の外形と端子接続箱部５０の外形の間の鍔状のフランジ部には、図３に示す接合板を挿入し、折り曲げ結合するために用いる接合用穴４８が、複数個（図示では２個）設けられている。この穴の形状は、図示のような矩形状以外に、正方形，丸穴，楕円，トラック状等でもよい。この接合用穴４８の幅は、図３に示す接合板５６の幅より多少大きい寸法とする。
【００４０】
図２に示す接合板逃げ溝４９は、接着板接着面４７上に設け、その長さは接着板接着面４７上の一方の接合用穴４８からもう一方の接合用穴４８までとし、その幅は接合用穴４８の幅と同等以上の寸法とする。さらに接合板逃げ溝４９は、図３に示す接合板５６の占有空間を吸収できる深さをもった溝とする。この接合板逃げ溝４９を設けることにより、図５に示すように、端子台５２を裏面補強板５８に接着する際に、裏面補強板５８に溶接された接合板５６が、端子台５２と機械的に干渉するのを防いでいる。
【００４１】
また、端子台内部５１には、水分侵入による絶縁不良を防ぐため、防水・絶縁性の樹脂（図５の充填剤６４）が充填される。この樹脂を充填することにより、図示しないリード線と接続線４１の接続用に空けた、端子台５２の穴４０や図２２に示した穴２１にも樹脂が充填され防水・絶縁性が保たれる。この端子台内部５１の樹脂充填側開口部には、図５に示す端子台蓋６０が樹脂硬化後に取り付けられる。なお、前記充填剤６４としては、難燃性樹脂充填剤の方が、耐火性向上の観点から望ましい。
【００４２】
図３から図５に基づき、各部材や組み立て方法等につき、さらに詳細に説明する。図３に示す接合板５６は、裏面補強板と同種の金属製で、端子台５２を単独で支えられる強度を持った幅と長さと厚さの帯状板とし、さらにその長さは端子台５２の接合用穴４８に挿入し、端子台５２の外形方向に折り曲げ可能な長さを有し、さらに板厚は２ミリ以下の折り曲げ可能な厚さとする。このとき接合板５６の端部は、接合用穴４８に挿入しやすいように、短部に丸みを設け、いわゆるＲ加工を施す。さらに接合板５６は、裏面補強板５８の図示しないリード線取り出し用の穴の近傍に、端子台５２の２つの接合用穴４８間にあたる接合面５７のみを、裏面補強板５８に溶接で結合する。
【００４３】
なお、上記接合板５６と裏面補強板５８との溶接は、太陽電池モジュール各層と裏面補強板５８のラミネート処理前に行なう。ラミネート時における接合板５６の形態は、折り曲げ加工のない平坦な状態とする。さらに接合板５６はラミネート処理後、接合面５７の溶接部端部を起点に垂直方向に折り曲げ、折り曲げられた接合板５６を案内として、接着板接着面４７に接着剤６１を塗布した端子台５２の接合用穴４８に挿入し、端子台５２を裏面補強板５８に接着する。
【００４４】
さらに接合板５６は、挿入した接合板端部を端子台５２の外形方向へ折り曲げることにより、端子台５２を裏面補強板５８に機械的に保持して一体化させる。なお、接合板５６は防火対策用の機械的保持のために必要なものであって、端子台５２と裏面補強板５８との基本的な接合は、接着剤６１を主体とする。
【００４５】
上記のような構成によれば、万一の火災により、裏面補強板に接着剤により固着された端子台の前記接着剤の固着力が消失した場合においても、端子台は接着された裏面補強板から脱落せずに結合状態を維持できる、即ち、火災時に端子台が太陽電池モジュールから脱落しないような脱落防止機能を備えることができる。
【００４６】
接着剤６１及び接合板５６の双方により、裏面補強板５８に組み立てた端子台５２を備えた太陽電池モジュール５９は、図２３で説明した方法と同様にして、ロール成形機などにより幅方向両端を成型加工し、成型加工された太陽電池モジュール５９は、各々に成型加工された部位同士を係合させて連続的に設置される。
【００４７】
（実施例２）
実施例２は、前記請求項３の発明に関わる実施例であり、実施例２について図６〜１０に基づいて説明する。図６は実施例２に関わる端子台６６を非接着面側から見た斜視図、図７は図６に示す端子台を接着面側より見た斜視図、図８は裏面補強板に溶接した接合板部の斜視図、図９は接合板を端子台にフック結合した状態を示す斜視図、図１０は端子台を裏面補強板と接合した太陽電池モジュールを屋根に設置した状態を示す部分断面図である。
【００４８】
なお、図６〜１０において、図１〜５における同一機能部材には、原則として同一番号を付してその詳細説明を省略するが、部番６５の接合板逃げ溝、６６の端子台、６７の接合板、６８の接合面に関しては、部番を変更して示す。
【００４９】
実施例１との相違点は、図９および図１０に示すように、端子台６６の鍔状のフランジの外周部の一部を機械的係合手段として、図８に示す金属材料からなる接合板６７を折り曲げて前記フランジ外周部にフックさせることにより、前記機械的保持手段を構成した点であり、上記により、図８に示す接合板６７の長さは、図３に示した接合板５６より大きな寸法を有する。また、図７に示す接合板逃げ溝６５の長さも、図２に示した接合板逃げ溝４９より大きな寸法を有する。
【００５０】
端子台の機械的保持原理および作用効果ならびに組み立て方法等は、実施例１と同様であるので、詳細説明は省略する。
【００５１】
（実施例３）
実施例３は、前記請求項６の発明に関わる実施例であり、図１１〜１５に基づいて説明する。図１１は実施例３に関わる端子台７０を非接着面側から見た斜視図、図１２は図１１に示す端子台を接着面側より見た斜視図、図１３は裏面補強板に溶接または接着した接合板部の斜視図、図１４は接合板を端子台にフック結合した状態を示す斜視図、図１５は端子台を裏面補強板と接合した太陽電池モジュールを屋根に設置した状態を示す部分断面図である。
【００５２】
なお、図１１〜１５において、図１〜５における同一機能部材には、原則として同一番号を付してその詳細説明を省略するが、部番６９の接合用穴板、７０の端子台、７１の接合板、７２の接合面、７３の裏面補強板、７５の太陽電池モジュールに関しては、部番を変更して示し、また新規に部番７４として、裏面補強板穴を示す。
【００５３】
実施例１との相違点は、まず図１３に示すように、裏面補強板７３の受光面側に溶接もしくは接着し、かつ裏面補強板７３に設けた裏面補強板穴７４から非受光面側に突出させた帯板状の金属材料からなる接合板７１を用いて、この接合板７１を、図１４および１５に示すように、端子台の接合用穴６９にフック可能にした点である。
【００５４】
端子台の基本的構成は、図１および図２に示すものと類似しているので、上記相違点に伴う実施例１との他の相違点を中心に以下に述べる。まず、この実施例の場合、図１３および図１５に示すように、接合板７１が裏面補強板７３に保持されて、脱落する危険性が少ないので、接合板７１と裏面補強板７３との接合は、金属同士を溶接する必要がなく、接着でもよい。従って、裏面補強板は、金属以外に難燃性樹脂を用いることができる。
【００５５】
なお、接合板７１と裏面補強板７３との接合は、太陽電池モジュール各層と裏面補強板７３のラミネート処理前に行なわれ、さらに裏面補強板穴７４は端子台７０外形内の範囲であって、太陽電池のない非発電領域に設ける。ラミネート時における接合板７１は、端部を裏面補強板穴７４から折り曲げ、裏面補強板７３の非受光面側に沿わせた形態とする。さらに接合板７１はラミネート処理後、裏面補強板穴７４を起点に垂直方向に端部を折り曲げ、折り曲げられた接合板７１を案内として、接着板接着面４７に接着剤６１を塗布した端子台７０の接合用穴６９に挿入され、この状態で端子台７０を裏面補強板７３に接着する。さらに接合板７１は、挿入した接合板７１端部を端子台７０の外形方向へ折り曲げることにより、端子台７０と裏面補強板７３とを一体化する。端子台の機械的保持原理および作用効果等は、実施例１と同様である。
【００５６】
（実施例４）
実施例４は、前記請求項７の発明に関わる実施例であり、実施例４について図１６〜１８に基づいて説明する。図１６は太陽電池モジュールの表面保護部材の受光面側に接着した接合板部の斜視図、図１７は接合板を端子台にフック結合した状態を示す斜視図、図１８は端子台を裏面補強板と接合した太陽電池モジュールを屋根に設置した状態を示す部分断面図である。
【００５７】
なお、図１６〜１８において、図１１〜１５における同一機能部材には、原則として同一番号を付してその詳細説明を省略するが、部番７６の接合板、７７の接合面、７９の太陽電池モジュールに関しては、部番を変更して示し、また新規に部番７８として、モジュール穴を示す。
【００５８】
この実施例４と前記実施例３との相違点は、実施例３の接合板７１に代えて、太陽電池モジュール７９の表面保護部材に接着した接合板７６を用いた点であり、端子台の構造やその機械的保持原理および作用効果ならびに組み立て方法等は、前記実施例３と同様であるので、詳細説明は省略する。
【００５９】
（実施例５）
実施例５は、前記請求項８の発明に関わる実施例であり、実施例５について図１９〜２１に基づいて説明する。図１９は太陽電池モジュールの裏面補強板の一部に切り込みを設けた接合板部の斜視図、図２０は切り込みを折り曲げた接合板を端子台にフック結合した状態を示す斜視図、図１８は端子台を裏面補強板と接合した太陽電池モジュールを屋根に設置した状態を示す部分断面図である。
【００６０】
なお、図１９〜２１において、図１１〜１５における同一機能部材には、原則として同一番号を付してその詳細説明を省略するが、部番８２の裏面補強板に関しては部番を変更して示し、また新規に部番８０の接合部、８１の切り込み、８３の接合部穴を示す。
【００６１】
図１９〜２１において、接合部８０は、金属製の裏面補強板８２の一部に、Ｕの字型又はコの字型の切り込み８１を入れ、図１１および図１２に示した端子台７０の２つの接合用穴６９と係合する接合板を構成する部分であり、裏面補強板８２の非受光面側面に対して垂直方向に折り曲げできる形態とする。この接合板は、裏面補強板８２の一部であることから裏面補強板８２と同じ厚さとなる。
【００６２】
なお、前記接合部８０は、裏面補強板８２と太陽電池モジュール各層をラミネート処理する前に切り込み加工され、ラミネート処理は、接合部８０を折り曲げず平坦な状態で行なわれる。さらに接合部８０の切り込み８１は、端子台７０の外形内の範囲であって、非発電領域に設ける。さらに接合部８０はラミネート処理後、図１９に示す裏面補強板８２と接続されている部分を起点に、裏面補強板８２の非受光面に対し垂直方向に端部を折り曲げ、折り曲げられた接合部８０を案内として、接着板接着面４７に接着剤６１を塗布した端子台７０の接合用穴６９に挿入し、端子台７０を裏面補強板８２に接着する。さらに接合部８０は、挿入した接合部８０の端部を、端子台７０の外形方向へ折り曲げることにより、端子台７０と裏面補強板８２とを一体化させる。
【００６３】
【発明の効果】
この発明によれば前述のように、表面保護部材と裏面保護部材との間に、複数個の太陽電池素子を直列または並列接続した太陽電池を接着性樹脂により封止してなり、前記太陽電池の正極および負極の電力リード部材を、前記裏面保護部材を貫通させて、電気絶縁性材料製の中空構造体からなる端子台内に導入し、前記端子台内に別途導入した外部の接続ケーブルの端子に電気的に接続してなる太陽電池モジュールにおいて、
太陽電池モジュールの少なくとも一部から端子台側に突出させた部材により、前記端子台を機械的に太陽電池モジュールに保持する機械的保持手段を備え、前記裏面保護部材は、少なくとも、前記電力リード部材を貫通させる貫通孔を備えた難燃性材料もしくは金属材料からなる裏面補強板を備え、さらに、前記端子台は、前記裏面補強板に接着剤により固着し、かつ、前記機械的保持手段は、前記接着剤の固着力が消失した場合においても、前記端子台が太陽電池モジュールから脱落しないような脱落防止機能を備える構成としたので、
太陽電池モジュールに飛び火した場合でも、建屋の屋根部材まで延焼に至ることのない防火機能を有し、かつ構造が簡単な太陽電池モジュールが提供できる。
【図面の簡単な説明】
【図１】本発明の実施例に関わる端子台を非接着面側から見た斜視図
【図２】図１の端子台を接着面側から見た斜視図
【図３】本発明の実施例１に関わり裏面補強板に溶接した接合板部の斜視図
【図４】本発明の実施例１に関わり接合板を端子台にフック結合した状態を示す斜視図
【図５】本発明の実施例１に関わり端子台を裏面補強板と接合した太陽電池モジュールを屋根に設置した状態を示す部分断面図
【図６】本発明の実施例２に関わる端子台を非接着面側から見た斜視図
【図７】図２の端子台を接着面側から見た斜視図
【図８】本発明の実施例２に関わり裏面補強板に溶接した接合板部の斜視図
【図９】本発明の実施例２に関わり接合板を端子台にフック結合した状態を示す斜視図
【図１０】本発明の実施例２に関わり端子台を裏面補強板と接合した太陽電池モジュールを屋根に設置した状態を示す部分断面図
【図１１】本発明の実施例３に関わる端子台を非接着面側から見た斜視図
【図１２】図１１の端子台を接着面側から見た斜視図
【図１３】本発明の実施例３に関わり裏面補強板に溶接または接着した接合板部の斜視図
【図１４】本発明の実施例３に関わり接合板を端子台にフック結合した状態を示す斜視図
【図１５】本発明の実施例３に関わり端子台を裏面補強板と接合した太陽電池モジュールを屋根に設置した状態を示す部分断面図
【図１６】本発明の実施例４に関わり太陽電池モジュールの表面保護部材の受光面側に接着した接合板部の斜視図
【図１７】本発明の実施例４に関わり接合板を端子台にフック結合した状態を示す斜視図
【図１８】本発明の実施例４に関わり端子台を裏面補強板と接合した太陽電池モジュールを屋根に設置した状態を示す部分断面図
【図１９】本発明の実施例５に関わり太陽電池モジュールの裏面補強板の一部に切り込みを設けた接合板部の斜視図
【図２０】本発明の実施例５に関わり切り込みを折り曲げた接合板を端子台にフック結合した状態を示す斜視図
【図２１】本発明の実施例５に関わり端子台を裏面補強板と接合した太陽電池モジュールを屋根に設置した状態を示す部分断面図
【図２２】特許文献１に開示された太陽電池モジュールと実質的に同様な構成を備えた従来の太陽電池モジュールの構成図
【図２３】図２２の太陽電池モジュールを屋根などへ設置する方法の一例を示した図
【符号の説明】
４０，５５：穴、４１：接続線、４２：圧着端子、４３：固定部材、４４：ケーブル、４５：接着板、４６：接着板上面、４７：接着板接着面、４８，６９：接合用穴、４９，６５：接合板逃げ溝、５：端子接続箱部、５１：端子台内部、５２，６６，７０：端子台、５３：カシメ部、５４：銅線部、５６，６７，７１，７６：接合板、５７，６８，７２，７７：接合面、５８，７３，８２：裏面補強板、７４：裏面補強板穴、５９，７５，７９：太陽電池モジュール、６０：端子台蓋、６１：接着剤、６２：防水シート、６３：野地板、６４：充填剤、７８：モジュール穴、８０：接合部、８１：切り込み、８３：接合部穴。
【図１】
2004247591.tif 000003
【図２】
2004247591.tif 000004
【図３】
2004247591.tif 000005
【図４】
2004247591.tif 000006
【図５】
2004247591.tif 000007
【図６】
2004247591.tif 000008
【図７】
2004247591.tif 000009
【図８】
2004247591.tif 000010
【図９】
2004247591.tif 000011
【図１０】
2004247591.tif 000012
【図１１】
2004247591.tif 000013
【図１２】
2004247591.tif 000014
【図１３】
2004247591.tif 000015
【図１４】
2004247591.tif 000016
【図１５】
2004247591.tif 000017
【図１６】
2004247591.tif 000018
【図１７】
2004247591.tif 000019
【図１８】
2004247591.tif 000020
【図１９】
2004247591.tif 000021
【図２０】
2004247591.tif 000022
【図２１】
2004247591.tif 000023
【図２２】
2004247591.tif 000024
【図２３】
2004247591.tif 000025